(57)【要約】【課題】シールドケースの固定を強化し、本体フレーム自体も補強すると共に、シールドケース内の回路基板を静電気から保護する【解決手段】プリンタ１において、装置本体を保持する金属製の本体フレーム３０と、回路基板を覆うシールドケース２１とが並設され、接続部材４０は、導電性を有する金属部材から成り、一端側４０Ａがシールドケース２１の端部２１Ｅに固定され、他端側４０Ｂが本体フレーム３０の上部センターフレーム３１Ａに固定されている。接続部材４０により、本体フレーム３０とシールドケース２１は、設置位置で互いに補強し合うように接続される。シールドケース２１が強固に固定され、本体フレーム３０自体も補強される。シールドケース２１の近傍に発生した静電気は、シールドケース２１の中央部を横断して伝わることなく、接続部材４０を通じて本体フレーム３０側に流出するので、シールドケース２１内の回路基板を静電気から保護し得る。【選択図】  図３
2005175093.tif 000002
【特許請求の範囲】
【請求項１】
回路基板を覆い、箱状に形成されたシールドケースと、機器本体を保持する本体フレームとを備え、前記シールドケースと本体フレームとが、設置位置で互いに補強し合うように接続されたことを特徴とする電子機器。
【請求項２】
前記シールドケースと前記本体フレームとが並設され、一端側が前記シールドケースの端部に固定し、他端側が前記本体フレームに固定する接続部材を介して接続されていることを特徴とする請求項１に記載の電子機器。
【請求項３】
前記本体フレームの少なくとも前記接続部材の固定部が金属部材で構成されていることを特徴とする請求項１乃至２に記載の電子機器。
【請求項４】
前記接続部材が導電性を有する金属部材で形成されて前記シールドケースを接地することを特徴とする請求項１乃至３に記載の電子機器。
【請求項５】
前記シールドケースが、前記本体フレームを構成するサイドフレームの近傍に並立した状態で配設されていることを特徴とする請求項１乃至４に記載の電子機器。
【請求項６】
前記接続部材は、前記一端側が前記シールドケースの上方側の端部にネジ止めされると共に、前記他端側が前記本体フレームにネジ止めされることを特徴とする請求項５に記載の電子機器。
【請求項７】
回路基板を覆い、箱状に形成されたシールドケースと、記録構成部及び媒体搬送部を保持する本体フレームとを備え、前記シールドケースと本体フレームとが、設置位置で互いに補強し合うように接続されたことを特徴とする記録装置。
【発明の詳細な説明】
【技術分野】
【０００１】
本発明は、プリンタ等の記録装置に代表される電子機器に関し、特に、回路基板を覆うシールドケースと本体フレームとが互いに補強し合うように接続された電子機器に関する。
【背景技術】
【０００２】
ファクシミリ装置やプリンタ等に代表される電子機器の一つとして、インクジェットプリンタがある。インクジェットプリンタには、記録データを作成し送信するパーソナルコンピュータ等と接続され、パーソナルコンピュータから受信した記録データに従って記録動作を実行するものがある。一方で、近年のデジタルカメラ等の普及に伴い、パーソナルコンピュータ等との接続を必要とせず、デジタルカメラに着脱自在に装着されるメモリカード等をそのまま装着可能とするスロット部を備え、当該インクジェットプリンタ単独で記録動作を実行可能なものがある（例えば、特許文献１参照）。
【０００３】
【特許文献１】特開２００３−１７５６５７号公報                              また、インクジェットプリンタ等の電子機器は、通常、電源ユニットと主制御部とを有し、主制御部は回路基板上に構成されている。回路基板には、ＩＣ、トランジスタ、ＣＰＵ等の電子部品が実装され、電子部品相互は、例えば、プリント配線により接続されている。そして、電子部品等から放出される電磁波を遮蔽する等のために、回路基板の周辺には電磁波シールド部材が設けられ、このような電磁波シールド部材によって回路基板全体が覆われる構造のシールドケースを構成している。また、このようなシールドケースは、上述した電子部品と直接接触するような構造にも形成されており、電子部品等から発生する熱を放出する放熱手段を兼ねている場合がある。この放熱効果を高める形態として、シールドケースに覆われた回路基板を、サイドフレーム近傍に、サイドフレームと並立した状態で配設した例がある（例えば、特許文献２参照）。
【特許文献２】特開２００３−２８５５６３号公報
【発明の開示】
【発明が解決しようとする課題】
【０００４】
上述した特許文献１等に記載のインクジェットプリンタ（以下、ダイレクトプリンタと言う）は、複数種類のメモリカードを装着することが可能なスロット部を有し、スロット部はダイレクトプリンタの主制御部を構成する回路基板と連結されている。そして、回路基板は電磁波を遮蔽するシールドケースにより覆われており、シールドケースとスロット部は一体的な構造となっている。そして、シールドケースは、本体フレームを構成するサイドフレームの近傍に、鉛直方向に立てた状態で設置されているのが一般的である。
【０００５】
即ち、シールドケースは、サイドフレーム近傍に、サイドフレームと並立した状態で配設され、シールドケースの底部とダイレクトプリンタの底部が、数箇所、ネジ止め等の手段により固定されている。しかし、シールドケースの底部とダイレクトプリンタの底部をネジ止めするだけでは、シールドケースの側面上部を水平方向に動かすような外力に対しては十分な強度を持つとは言い難い。また、印刷動作時における振動による影響をダイレクトプリンタの主制御部が受ける虞れもある。
【０００６】
また、このようなダイレクトプリンタ等の課題として、ダイレクトプリンタのシールドケースの近傍或いは端部で発生した静電気が、シールドケースの中央部を横断して伝わり、グラウンド側に流れていく場合がある。このように、静電気がシールドケースの中央部を横断して流れると、シールドケース内の回路基板上に形成された電子部品やプリント配線上を流れる電気信号にノイズとして影響を与えてしまう虞れがある。かかるノイズの影響が大きい場合には、印刷に誤動作を生じる可能性も否定できない。
【０００７】
本発明の第一の目的は、シールドケースの固定を補強しつつ本体フレーム自体の補強も可能な電子機器を提供することにある。
【０００８】
また、本発明の第二の目的は、シールドケースの固定を補強しつつ本体フレーム自体の補強も可能な上に、シールドケースの近傍等で発生する静電気からシールドケース内の回路基板を保護し得る電子機器を提供することにある。
【課題を解決するための手段】
【０００９】
上記第一の目的を達成するため、本発明の電子機器は、回路基板を覆い、箱状に形成されたシールドケースと、機器本体を保持する本体フレームとを備え、前記シールドケースと本体フレームとが、設置位置で互いに補強し合うように接続されたことを特徴としている。
【００１０】
かかる構成によれば、シールドケースと本体フレームとが接続されることで互いに補強し合うこととなるので、シールドケースを本体フレームと強固に固定することができ、本体フレーム自体の補強も可能となる。
【００１１】
また、前記シールドケースと前記本体フレームとが並設され、一端側が前記シールドケースの端部に固定し、他端側が前記本体フレームに固定する接続部材を介して接続されていることを特徴としている。
【００１２】
かかる構成によれば、シールドケースと本体フレームとが接続部材を介して更に補強し合うこととなるので、シールドケースを本体フレームとより強固に固定することができ、本体フレーム自体の補強効果も高まる。
【００１３】
上記第二の目的を達成するため、本発明の電子機器は、更に、前記本体フレームの少なくとも前記接続部材の固定部が金属部材で構成されていることを特徴としている。そして、前記接続部材が導電性を有する金属部材で形成されて前記シールドケースを接地することを特徴としている。
【００１４】
これにより、シールドケース又はその近傍に発生した静電気は、当該接続部材を通じてグラウンド側に流出するので、接続部材により同時に静電気対策も可能となり、シールドケースの近傍等で発生する静電気からシールドケース内の回路基板を保護することができる。
【００１５】
尚、本発明の電子機器は、前記シールドケースが、前記本体フレームを構成するサイドフレームの近傍に並立した状態で配設されていてもよい。
【００１６】
このように、シールドケースが本体フレームを構成するサイドフレームの近傍に並立して設置されることにより、シールドケースと本体フレームとが、当該設置位置で互いに補強し合うように接続されることになり、シールドケースの水平方向での揺動が抑止され、シールドケースの固定に対する補強効果が高められる。
【００１７】
更に、前記接続部材は、前記一端側が前記シールドケースの上方側の端部にネジ止めされると共に、前記他端側が前記本体フレームにネジ止めされるようにしてもよい。
【００１８】
かかる構成によれば、シールドケースと本体フレームとが、ネジ止めにより当該設置位置で互いに補強し合うように強固に接続される結果、シールドケースと本体フレーム相互の補強効果がより一層高められる。また、ネジ止めにより簡単にシールドケースの上方側端部と本体フレームとを固定し接続することができる。更に、シールドケースの上方側端部と本体フレームとがネジ止めにより固定し接続されるので、シールドケースの上方側近傍又はその端部に発生した静電気は、シールドケースの中央部を横断して伝わることなく、当該接続部材を通じて前記本体フレーム方向に流出する。この結果、静電気がシールドケース内の回路基板上に形成された電子部品等にノイズとして影響を与えてしまうのを有効に防止できる。
【００１９】
尚、本発明の記録装置は、回路基板を覆い、箱状に形成されたシールドケースと、記録構成部及び媒体搬送部を保持する本体フレームとを備え、前記シールドケースと本体フレームとが、設置位置で互いに補強し合うように接続されたことを特徴としている。
【００２０】
これにより、シールドケースを本体フレームと強固に固定することができ、本体フレーム自体も補強された記録装置を提供し得る。従って、シールドケース内の回路基板や本体フレームが保持する記録構成部及び媒体搬送部を外力や振動から保護し得ることとなり、安定した記録が可能となる。
【発明を実施するための最良の形態】
【００２１】
以下、図１乃至図４を参照しながら本発明の一実施形態について説明する。ここで、図１は、本発明に係る「電子機器」乃至「記録装置」の一例としてのインクジェットプリンタ（以下、プリンタと言う）１の外観斜視図である。図２は、プリンタ１に設けられたメモリカードの挿入口付近を示す外観斜視図である。
【００２２】
図１において、プリンタ１は装置本体を覆うハウジング２及びハウジング２の上部中央に設けられた開閉自在な上部カバー５によってその外観が大略構成され、装置後部には被記録媒体としての印刷用紙を複数枚傾斜姿勢で支持するペーパーサポート４を備えた給紙装置３が設けられている。給紙装置３から給送された印刷用紙は、図示しない記録ヘッドによって記録が行われ、排紙ローラ８による搬送力を受けて排出口９からスタッカ１０へと排出される。スタッカ１０は回動可能に設けられ、排出口９を開放する形態（図示する形態）と排出口９を閉じる形態（図示せず）との２つの形態をとることができる。
【００２３】
ハウジング２の右上部には、ユーザインタフェースを構成する表示部６と操作部７が配設されている。表示部６には、プリンタ1の各種ステータスの表示や、操作部７を操作することによって設定される印刷設定状況等が表示される。操作部7は、電源ボタン、印刷実行ボタン、印刷設定ボタン等によって構成されている。
【００２４】
ハウジング２の右下部には、インタフェース部が設けられている。開閉自在なカバー１１を開放すると、図２に示すように、外部インタフェースとしてのカードスロット１３，１４，１５が設けられている。カードスロット１３，１４，１５は、例えば、フラッシュメモリ等の小型メモリカードを着脱可能なスロットであり、複数存在する小型メモリカードの規格に対応できるように、それぞれ固有の形状及び寸法を備えている。カードスロット１３，１４，１５に挿入された小型メモリカードは、図示しない読み込み及び書き込み手段によって主として内部データが読み込まれ、あるいは、必要に応じてデータの書き込みが行われる。
【００２５】
即ち、プリンタ１は、ホストコンピュータ等の外部機器と接続して印刷データを受信する必要がなく、プリンタ１単独で、印刷設定（用紙設定、用紙サイズ設定、印刷枚数設定、画質設定、等々）を行うことができ、小型メモリカードに記録された画像データから印刷データを生成して印刷を実行することが可能に構成されている。例えば、デジタルカメラに装着されて記録（画像）データが書き込まれた小型メモリカードが、カードスロット１３，１４又は１５に装着されると、プリンタ１はこれを検出し、表示部６に印刷実行指示を促すメッセージを表示する。これに対してユーザは、操作部７を操作して印刷条件を設定し、印刷実行の指示を与える。尚、プリンタ１は、外部のホストコンピュータと接続可能なように装置後部にＵＳＢインタフェース（図示せず）を備え、装置前部には、ＣＤ−Ｒドライブ等の外部機器と接続可能なようにＵＳＢインタフェース１２を備えている。
【００２６】
図３は、プリンタ１からハウジング２、キャリッジ（図１及び図２には図示せず）等を取り外した状態を示す斜視図であり、図４はシールドケース２１と本体フレーム３０をプリンタ１の内方向より見た状態を示す斜視図（図４は図３におけるＸ方向矢視図）である。
【００２７】
プリンタ１は、図示しない回路基板を覆い、箱状に形成されたシールドケース２１と、機器本体を保持する本体フレーム３０とを備え、シールドケース２１と本体フレーム３０とが、設置位置で互いに補強し合うように接続されている。尚、ここにいう回路基板は、「記録装置」としてのプリンタ１の記録動作等を制御する主制御回路が形成された基板である。また、機器本体とは、後述するキャリッジ等から成る記録構成部及び紙送り機構等から成る媒体搬送部（共に図示せず）から構成され、「記録装置」としてのプリンタ１の本体フレーム３０は、かかる記録構成部及び媒体搬送部を保持するものである。
【００２８】
また、シールドケース２１と本体フレーム３０とは並設され、一端側がシールドケース２１の端部に固定し、他端側が本体フレーム３０に固定する接続部材４０及び４１を介して接続されている。
【００２９】
尚、本実施形態では、図３に示すように、シールドケース２１は本体フレーム３０を構成するサイドフレーム３３の近傍に並立した状態で配設されているが、シールドケース２１と本体フレーム３０とが「並設され」とは、このようにシールドケース２１がサイドフレーム３３と隣り合うように並立する場合以外を含み、シールドケース２１が本体フレーム３０に対して二次元的に（３６０度の空間で）並んで配置されていればよい。
【００３０】
さて、図４に示すように、シールドケース２１は、シールドケース２１を構成する電磁波シールド部材２３の中央付近を、導電性を有する金属部材で形成された接続部材４１を介して前方フレーム３４と固定されている。またシールドケース２１の端部２１Ｅ（図示する例では、天井部の後半分側）を、導電性を有する金属部材で形成された接続部材４０を介して上部センターフレーム３１Ａと固定されている。
【００３１】
これにより、シールドケース２１を本体フレーム３０と強固に固定することができ、本体フレーム３０自体の補強も可能となっている。また、接続部材４０及び４１が導電性を有する金属部材で形成されているため、シールドケース２１を接地する機能を有している。この結果、シールドケース２１又はその近傍に発生した静電気は、接続部材４０及び４１を通じてグラウンド側に流出するので、接続部材４０及び４１により同時に静電気対策も可能となる。
【００３２】
尚、本実施形態のプリンタ１では、シールドケース２１と本体フレーム３０とを接続部材４０及び４１を介して接続しているが、シールドケース２１と本体フレーム３０とが互いに補強し合うように接続されていればよく、本実施形態のように、接続部材４０及び４１により接続される他、シールドケース２１と本体フレーム３０とが直接接続されていてもよい。
【００３３】
再び、図３を参照して、本体フレーム３０は、主走査方向に伸び、且つ、鉛直面に平行な平面をなすセンターフレーム３１と、センターフレーム３１の上方に形成され、図示しないキャリッジの後側の一部を摺動可能に保持する上部センターフレーム３１Ａ、センターフレーム３１の両側に結合され、センターフレーム３１のなす平面と直交する平面を有するサイドフレーム３２及び３３と、主走査方向に伸びる棒状の前方フレーム３４により構成され、平面視略矩形の形状をなしている。上部センターフレーム３１Ａは、本体フレーム３０の剛性を向上させるようにＥ型断面形状等に加工され、たわみや捻れに強い構造となっている。前方フレーム３４も、上部センターフレーム３１Ａと同様に、Ｅ型断面形状等に加工され、たわみや捻れに強い構造を有している。
【００３４】
本実施形態では、本体フレーム３０を構成するセンターフレーム３１、上部センターフレーム３１Ａ、サイドフレーム３２及び３３、及び前方フレーム３４は、金属部材により構成されている。但し、接続部材４０及び４１がシールドケース２１を接地する機能を奏するためには、本体フレーム３０のうち、少なくとも接続部材４０及び４１の固定部、即ち、接続部材４０の固定部である上部センターフレーム３１Ａと、接続部材４１の固定部である前方フレーム３４が金属部材で構成されていれば足り、センターフレーム３１やサイドフレーム３２及び３３は、例えば、プラスチック等の樹脂により構成されていてもよい。
【００３５】
さて、本実施形態では、シールドケース２１は、本体フレーム３０を構成するサイドフレーム３３の近傍に並立した状態で配設されている。シールドケース２１が立設された構成では、もともとシールドケース２１の水平方向での揺動が生じ易い。そこで、図３に示すように、シールドケース２１をサイドフレーム３３と隣り合うように並立させることで、シールドケース２１と（本体フレーム３０の）サイドフレーム３３とが、設置位置で互いに補強し合うように接続され得るようになり、シールドケース２１の固定に対する補強効果が高まる。
【００３６】
シールドケース２１は、プリンタ１の主制御部を構成する図示しない回路基板を、電磁波シールド部材２２（図３参照）、２３（図４参照）により覆ったものである。即ち、回路基板にはＩＣ、トランジスタ、ＣＰＵ等の電子部品が実装されていて、電子部品相互はプリント配線により接続されており、当該電子部品等から放出される電磁波を遮蔽する等のために、シールドケース２１が設けられている。
【００３７】
より詳しくは、シールドケース２１は薄い箱形の形状をなし、図示しないネジ固定手段によって、回路基板を覆うように固定されている。シールドケース２１は、導電性を有する金属製の板材によって形成され、本実施形態においてはアルミニウムが用いられている。しかし、電磁波を遮断する性能（電磁波シールド機能）を有すれば、アルミニウム以外の材料であってもよい。
【００３８】
ここで、本実施形態において、シールドケース２１を構成する電磁波シールド部材２２（図３参照）については、電磁波シールド機能の他に、放熱機能をも併せ持つように構成されている。即ち、本実施形態においては、前述のように電磁波シールド部材２２（図３参照）はアルミニウムによって形成されているので、高い熱伝導性を有している。そして、回路基板には電子部品が実装されているが、電磁波シールド部材２２（図３参照）には、電子部品の上面（図３においては側面に相当。以下同じ）に接触することができるように、凹部２２Ａが形成されている。即ち、凹部２２Ａが電子部品の上面と接触するように、電磁波シールド部材２２（図３参照）が回路基板に固定されている。尚、凹部２２Ａは、深絞り加工によって電磁波シールド部材２２に一体的に形成され、且つ、穴部等を一切形成せずに深絞り加工を行うことにより、低コストに且つ電磁波シールド機能を損なわないように形成されている。
【００３９】
本実施形態のプリンタ１は、前述した通り、カードスロット１３，１４又は１５に挿入された小型メモリカードに記録されたデータに基づいて印刷を実行することが可能に構成されている。従って、図３に示すスロット部１６は、プリンタ１の主制御部を構成する図示しない回路基板と連結された構造となっている。そして、カードスロット１３，１４，１５を有するスロット部１６は、回路基板を覆うシールドケース２１と一体的な構造となっている。
【００４０】
次に、図３及び図４を参照しつつ、本実施形態に係るプリンタ１に使用される接続部材４０及び接続部材４１の構成とその作用効果について説明する。
【００４１】
接続部材４０は、回路基板を覆うシールドケース２１と、図示しない記録構成部及び媒体搬送部を保持する金属製の本体フレーム３０を備えたプリンタ１に使用される。接続部材４０は、導電性を有する金属部材から成り、一端側４０Ａがシールドケース２１の上方側端部２１Ｅ（図示する例では、天井部の後半分側）に固定されると共に、他端側４０Ｂが本体フレーム３０の上部センターフレーム３１Ａに固定されている。このように、接続部材４０でシールドケース２１と本体フレーム３０とを接続することにより、シールドケース２１と本体フレーム３０とがより一層相互に補強し合う構成となる。即ち、シールドケース２１と本体フレーム３０とは、その互いの位置関係から接続部材４１等によるだけでも相互に補強し合うように接続されているが、更に、接続部材４０を設けることにより、より一層補強し合うこととなる。従って、シールドケース２１を本体フレーム３０とより強固に固定することができ、本体フレーム３０自体の補強効果も高まる。
【００４２】
また、かかる構成により、シールドケース２１の近傍又はその端部に発生した静電気は、シールドケース２１の中央部を横断して伝わることなく、当該接続部材４０を通じて本体フレーム３０側に流出する。このため、当該静電気がシールドケース２１内の回路基板上に形成された電子部品やプリント配線を流れる電気信号に影響を与えてしまうのを有効に防止できる。ここで、シールドケース２１の「端部」とは、シールドケース２１の天井部の後半分側には限られず、接続部材４０を介して本体フレーム３０と固定され接続され得る箇所であって、シールドケース２１の中央部でない部分を広く含む意味である。
【００４３】
接続部材４０は、より詳しくは、図３に示すように、一端側４０Ａがシールドケース２１の上方側端部２１Ｅ（図示する例では、天井部の後半分側）にネジ止めされると共に、他端側４０Ｂが本体フレーム３０を構成する上部センターフレーム３１Ａにネジ止めされている。かかる構成によれば、シールドケース２１と本体フレーム３０とが、ネジ止めにより当該設置位置で互いに補強し合うように強固に接続される結果、シールドケース２１と本体フレーム３０相互の補強効果がより一層高められる。また、ネジ止めにより簡単にシールドケース２１の上方側端部２１Ｅと本体フレーム３０の上部センターフレーム３１Ａとを固定し接続することができる。更に、シールドケース２１の上方側端部２１Ｅと本体フレーム３０とがネジ止めにより固定し接続されるので、シールドケース２１の上方側近傍又はその端部に発生した静電気は、シールドケース２１の中央部を横断して伝わることなく、接続部材４０を通じて本体フレーム３０方向に流出する。この結果、静電気がシールドケース２１内の回路基板上に形成された電子部品等にノイズとして影響を与えてしまうのを有効に防止できる。
【００４４】
また、上述したように、接続部材４０は、被記録媒体に記録を行う記録装置としてのプリンタ１に使用されている。これにより、プリンタ１のシールドケース２１の近傍又はその端部に発生した静電気を、本体フレーム３０側に流出させ、静電気がシールドケース２１内の回路基板上を流れる電気信号に影響を与えることによるプリンタ１の誤作動等を防止することができる。また、接続部材４０によりシールドケース２１を本体フレーム３０と強固に固定することができ、本体フレーム３０自体も補強されたプリンタ１を提供し得る。
【００４５】
前述したように、プリンタ１では、カードスロット１３，１４又は１５に小型メモリカードが挿入された状態において、小型メモリカードへのアクセス動作が行われる時に、プリンタ１の内外で発生した静電気によって、カード内部のデータが喪失したり、当該静電気が原因で、印刷の誤作動を生じさせる虞れを否定できない。特に、プリンタ１のシールドケース２１の近傍或いは端部で発生した静電気による影響を受ける虞れがあるので、当該静電気を、シールドケース２１から本体フレーム３０側に効率よく流出させることが、カード内部のデータ喪失及び印刷の誤作動の防止に有効である。
【００４６】
そこで、本実施形態では、シールドケース２１を接地して、シールドケース２１又はその周辺で発生した静電気を本体フレーム３０側に流出させる手段として、接続部材４０に加えて接続部材４１も設けている。接続部材４０は、上述したように、シールドケース２１の天井部の後半分側と上部センターフレーム３１Ａの一端とを接続し接地している。接続部材４１は、図４に示すように、電磁波シールド部材２３の中央付近を、前方フレーム３４の一端に接続し接地している。接続部材４０、４１には、シールドケース２１の接地に適した、導電性を有する金属部材を用いている。接続部材４０、４１は、それぞれシールドケース２１と本体フレーム３０とに、ネジ止め等の方法により固定される。
【００４７】
尚、図３、図４における接続部材４０、４１は、どちらも矩形の板状金属片を曲げ加工したものである。接続部材４１は、短めの板状金属片を２面が互いに直交するように曲げ加工して形成した。これに対して、接続部材４０は、長めの板状金属片を、シールドケース２１の端部２１Ｅ（天井部の後半分側）と接する面を形成する一端側４０Ａと上部センターフレーム３１Ａと接する面を形成する他端側４０Ｂとが互いに平行となるように、図３に示す形状に曲げ加工したものである。
【００４８】
また、図３及び図４に示す例では、各接続部材４０、４１は、それぞれシールドケース２１と本体フレーム３０の各1箇所と固定されている。しかし、接続部材４０、４１の形状やその固定手段はこれらに限定されるものではない。接続部材４０、４１の形状が矩形以外の形状であってもよく、固定手段がネジ止め以外のものでもよい。更に、例えば、接続部材４０の端部（一端側４０Ａと他端側４０Ｂ）がそれぞれ２股に分岐して２箇所でネジ止めされる等、固定箇所が複数であってもよい。また、接続部材４０、４１に加えて、更に他の接続部材を設けることも可能である。
【００４９】
シールドケース２１の中央部付近で発生した静電気は、接続部材４１を経由して直ちに本体フレーム３０側に流出するので、当該静電気による、スロット部１６に挿入されている小型メモリカード内部のデータ喪失や、印刷の誤作動を防止することができる。また、シールドケース２１の下部付近で発生した静電気は、シールドケース２１底部に設けられた接地（図示せず）を経由してプリンタ１底部に流出する。このように、シールドケース２１又はその近傍で発生した静電気をシールドケース２１から効率よく流出させることにより、当該静電気による、小型メモリカード内部のデータ喪失や、印刷の誤作動を防止することを実現させている。
【００５０】
ところで、シールドケース２１底部に設けられた接地（図示せず）及び接続部材４１だけでは、プリンタ１のシールドケース２１の近傍或いは端部（例えば、図３、図４に、それぞれ点線で構成された楕円内に示す部分）で発生した静電気が、シールドケース２１の中央部を横断して伝わり、接続部材４１を介してグラウンド側に流れていく場合がある。このように、静電気がシールドケース２１の中央部を横断して流れると、シールドケース２１内の回路基板上に形成された電子部品やプリント配線上を流れる電気信号にノイズとして影響を与えてしまう虞れがある。かかるノイズの影響が大きい場合には、印刷に誤動作を生じる可能性も否定できない。
【００５１】
しかしながら、本実施形態においては、図３に示すように、一端側４０Ａがシールドケース２１の上方側の端部２１Ｅ（図示の例では、天井部の後半分側）にネジ止めされて接続されると共に、他端側４０Ｂが本体フレーム３０の上部センターフレーム３１Ａにネジ止めされて接続されている。従って、シールドケース２１の近傍或いは端部（例えば、図３、図４に、それぞれ点線で構成された楕円内に示す部分）で発生した静電気は、シールドケース２１の中央部を横断して伝わることなく、接続部材４０を通じて上部センターフレーム３１Ａひいては本体フレーム３０側に流出する。
【００５２】
この結果、静電気がシールドケース２１内の回路基板上に形成された電子部品やプリント配線上を流れる電気信号にノイズとして影響を与えてしまうのを有効に防止できる。また、シールドケース２１の上記近傍或いは端部で発生した静電気は、接続部材４０を経由して直ちに本体フレーム３０側に流出するので、当該静電気による、スロット部１６に挿入されている小型メモリカード内部のデータ喪失や、印刷の誤作動を防止することができる。
【００５３】
次に、接続部材４０、４１は、シールドケース２１と本体フレーム３０とを、設置位置で互いに補強し合うように接続することにより、シールドケース２１の固定を強固にしつつ、本体フレーム３０自体を補強する機能を発揮している。従来は、シールドケース２１の底部とプリンタ１の底部を、数箇所、ネジ止め等の手段により固定する方法が取られていた。しかし、シールドケース２１の底部とプリンタ１の底部をネジ止めする固定手段では、シールドケース２１の側面上部を水平方向に動かすような外力に対しては十分な強度を持たず、また、印刷動作時に発生する振動による影響を、シールドケース２１内の回路基板上に形成されているプリンタ１の主制御部が受ける虞れもあった。そこで、接続部材４０、４１を配設することにより、シールドケース２１の側面上部を水平方向に動かすような外力や、シールドケース２１を上方向に引っ張るような外力に対して、有効な補強手段となる。このように、接続部材４０、４１を配設することで、シールドケース２１が確実に固定されると、プリンタ１の印刷動作時に印加された何らかの外力、又は印刷動作時の振動が原因で発生する小型メモリカード内部のデータ喪失や印刷の誤作動を防止する効果もある。
【００５４】
また、接続部材４０、４１を配設することにより、本体フレーム３０を構成するセンターフレーム３１、上部センターフレーム３１Ａと前方フレーム３４は、サイドフレーム３３のみならず、シールドケース２１とも結合される。このようなシールドケース２１を含めたフレーム構造とすることにより、シールドケースと本体フレームとが設置位置で互いに補強し合うこととなるので、シールドケース２１の固定を強化できるだけでなく、本体フレーム３０全体の剛性を向上させる効果がある。この結果、プリンタ１に印加される外力により、プリンタ１が破壊され又は損傷を受けるのを防止する効果も期待できる。
【００５５】
更に、接続部材４０は、シールドケース２１内の回路基板上に実装された電子部品から発生する熱を放熱する効果もある。前述したように、シールドケース２１を構成する電磁波シールド部材２２ついては、電磁波シールド機能の他に、放熱機能をも併せ持つように熱伝導性を有する部材から構成されている。即ち、電磁波シールド部材２２は、例えば、アルミニウムによって形成され、高い熱伝導性を有している。また、電磁波シールド部材２２は、回路基板上に実装される電子部品の上面に接触することができるように、凹部２２Ａが形成され、凹部２２Ａが電子部品の上面と接触するように、回路基板に固定されている。電子部品から発生した熱は、凹部２２Ａを中心として放射状に伝導しつつ、シールドケース２１と接する空気中に放出される。接続部材４０は、電磁波シールド部材２２の凹部２２Ａの直ぐ上方に配設されており、凹部２２Ａより伝導された熱は、更に、接続部材４０を経由して本体フレーム３０側に伝導されることになる。このように、接続部材４０は電子部品から発生する熱を放熱する機能をも有している。尚、接続部材４０を、アルミニウムのように高い熱伝導率を持つ材料を用いて形成することで、放熱効果を向上することができる。
【００５６】
以上のように、本実施形態のプリンタ１において、接続部材４０、４１は、シールドケース２１またはその周辺で発生した静電気が原因で発生する、メモリカード内部のデータの喪失や印刷の誤作動を防止し、また、シールドケース２１の固定を強固にしつつ、本体フレーム３０の剛性を向上させることができる。
【００５７】
本実施形態においては、本発明をダイレクトプリンタについて説明したが、本発明の適用はダイレクトプリンタに限られない。特に、シールドケースが、サイドフレーム近傍に並立した状態で配設される構造を有する他の記録装置においても、有効である。
【産業上の利用可能性】
【００５８】
電子機器、記録装置としてインクジェットプリンタを例に説明したが、本発明は、回路基板を覆うシールドケースと、機器本体を保持する本体フレームを備えた電子機器であれば、電話機、ファクシミリ等であっても適用することができる。
【図面の簡単な説明】
【００５９】
【図１】本発明に係る「電子機器」「記録装置」の一例としてのインクジェットプリンタの外観斜視図。
【図２】プリンタ１に設けられたメモリカードの挿入口付近を示す外観斜視図。
【図３】プリンタ１からハウジング２、キャリッジ等を取り外した状態を示す斜視図。
【図４】シールドケース２１と本体フレーム３０をプリンタ１の内方向より見た状態を示す斜視図。
【符号の説明】
【００６０】
１  インクジェットプリンタ、２  ハウジング、３  給紙装置、４  ペーパ−サポート、５  上部カバー、６  表示部、７  操作部、８  排紙ローラ、９  排出口、
１０  スタッカ、１１  カバー、１２  ＵＳＢインタフェース、
１３、１４、１５  カードスロット、１６  スロット部、２１  シールドケース、
２２、２３  電磁波シールド部材、  ３０  本体フレーム、３１  センターフレーム、
３１Ａ  上部センターフレーム、  ３２、３３  サイドフレーム、３４  前方フレーム、４０、４１  接続部材
【図１】
2005175093.tif 000003
【図２】
2005175093.tif 000004
【図３】
2005175093.tif 000005
【図４】
2005175093.tif 000006